(57)【要約】衣類処理装置（１）は、外箱開口部（６）を外箱前面部（１０３）に有する外箱（１ａ）と、外箱（１ａ）内に配置されるとともに、少なくとも一部が外箱開口部（１０３）に対向して配置される回転槽開口部（２６）を有する回転槽（３）と、四角形のドア本体部（５１）と、該ドア本体部（５１）の上方に位置する傾斜部（５２）とを有して、ドア本体部（５１）が外箱開口部（６）を覆うことによって外箱開口部（６）を閉じるドア（５０）であって、傾斜部（５２）は、傾斜部（５２）の上端部（６７）がドア本体部（５１）よりも後方に位置するように傾斜しているドア（５０）と、傾斜部（５２）の前面側に配設された表示操作部（５４）とを備える。
2018135019.tif 000002
【特許請求の範囲】
【請求項１】
外箱開口部を外箱前面部に有する外箱と、
前記外箱内に配置されるとともに、少なくとも一部が前記外箱開口部に対向して配置される回転槽開口部を有する回転槽と、
四角形のドア本体部と、該ドア本体部の上方に位置する傾斜部とを有して、前記ドア本体部が前記外箱開口部を覆うことによって前記外箱開口部を閉じるドアであって、前記傾斜部は、前記傾斜部の上端部が前記ドア本体部よりも後方に位置するように傾斜しているドアと、
前記傾斜部の前面側に配設された表示操作部とを備えることを特徴とする衣類処理装置。
【請求項２】
請求項１に記載の衣類処理装置において、
前記傾斜部が、前記ドア本体部に対して取り外し可能に構成されていることを特徴とする衣類処理装置。
【請求項３】
請求項１又は請求項２に記載の衣類処理装置において、
前記ドアの下端部が、前記外箱内に配置された排水フィルタ装置を覆う排水フィルタ用ドアよりも上方に位置することを特徴とする衣類処理装置。
【請求項４】
請求項１から請求項３のいずれか１項に記載の衣類処理装置において、
前記外箱前面部が、前記外箱開口部の周りに形成された外箱平面部を有し、
前記傾斜部の前記上端部が、前記外箱平面部よりも後方に位置することを特徴とする衣類処理装置。
【請求項５】
請求項１から請求項４のいずれか１項に記載の衣類処理装置において、
前記表示操作部がタッチパネルを備えるとき、機械式電源入りキーが前記外箱に配置されることを特徴とする衣類処理装置。
【発明の詳細な説明】
【援用記載】
【０００１】
本出願は２０１７年１月１９日に出願された日本出願の特願２０１７−００７８５６に対して、優先権の利益を主張するものであり、その日本出願に記載された全ての記載内容を援用するものである。
【技術分野】
【０００２】
この発明は、衣類処理装置に関し、ドラム式洗濯乾燥機やドラム式洗濯機やドラム式乾燥機などの衣類処理装置に関する。
【背景技術】
【０００３】
従来、衣類処理装置では、回転槽が外箱内に配置され、回転槽の開口部に対向して配置された外箱開口部が外箱前面部に配設されており、外箱開口部の略円形状に合わせてドアが略円形状に構成されている。それとともに、表示操作部が外箱の前面上部に配置されている（例えば、特許文献１を参照）。
【先行技術文献】
【特許文献】
【０００４】
【特許文献１】特表２００５−５１４９９５号公報
【発明の概要】
【発明が解決しようとする課題】
【０００５】
特許文献１では、外箱前面部とドアとの間に凹凸部ができるため、水や洗剤をこぼしたときに、水や洗剤が凹凸部に入り込んで、その清掃に手間がかかる。また、略円形状のドアという限られたスペースにおいては、小さな表示操作部しか配置できないため、表示操作部の操作性や視認性が良くない。【０００６】
したがって、この発明の解決すべき技術的課題は、清掃性が良好であるとともに、表示操作部の操作性や視認性が優れている衣類処理装置を提供することである。
【課題を解決するための手段】
【０００７】
上記技術的課題を解決するために、この発明によれば、以下の衣類処理装置が提供される。【０００８】
すなわち、この発明の一態様に係る衣類処理装置は、
外箱開口部を外箱前面部に有する外箱と、
前記外箱内に配置されるとともに、少なくとも一部が前記外箱開口部に対向して配置される回転槽開口部を有する回転槽と、
四角形のドア本体部と、該ドア本体部の上方に位置する傾斜部とを有して、前記ドア本体部が前記外箱開口部を覆うことによって前記外箱開口部を閉じるドアであって、前記傾斜部は、前記傾斜部の上端部が前記ドア本体部よりも後方に位置するように傾斜しているドアと、
前記傾斜部の前面側に配設された表示操作部とを備えることを特徴とする。
【発明の効果】
【０００９】
この発明によれば、四角形のドア本体部が外箱開口部を覆って閉じるドアによって、外箱とドアとの間に凹凸部が形成されにくくなるので、清掃性が良好であるとともに、後方に傾斜した傾斜部の前面側に表示操作部を配設することによって、大きな傾斜部及び大きな表示操作部が配設できるので、表示操作部の操作性及び視認性が優れている。また、正面視で、ドアの上方において傾斜部が後方に引っ込んだ形態になっているので、衣類処理装置がコンパクトになるとともに圧迫感が軽減される。また、表示操作部がドア側に設けられているので、外箱前面部の上方の空間を有効活用できる。
【図面の簡単な説明】
【００１０】
【図１】一実施形態に係る衣類処理装置を斜め右上から見た外観斜視図。
【図２】ドアを開けた状態の衣類処理装置の正面図。
【図３】ドアを開けた状態の衣類処理装置を斜め右上から見た斜視図。
【図４】ドアを閉じた状態の衣類処理装置の右側面図。
【図５】図１の衣類処理装置の模式的縦断面図。
【図６】ドアの後面図。
【図７】ドアから後面カバーを取り外した状態の後面図。
【図８】ドアから傾斜部を取り外した状態の後面図。
【図９】ドアから傾斜部を取り外した状態の正面斜視図。
【図１０】表示操作部を有する傾斜部の正面図。
【図１１】ドアの展開図。
【発明を実施するための形態】
【００１１】
以下、この実施形態の衣類処理装置１を図面を参照しながら詳細に説明する。なお、この実施形態は、あくまでも一例であって、当該実施形態に限定されるものではない。
【００１２】
〔第１実施形態〕
図１は、衣類処理装置１の一実施形態としてのドラム式洗濯機１の斜視図である。まず、図１に基づいて、ドラム式洗濯機１の全体構成を説明する。以下、説明の便宜上、図１等において、ドア５０が設けられた側を前面側（前方）とし、ドラム式洗濯機１を前面側から見た図１を基準としてドラム式洗濯機１の方向を特定する。また、本願では、洗濯及び乾燥を行うことができるドラム式洗濯乾燥機と、乾燥を行わず洗濯のみを行うドラム式洗濯機とを総称して、ドラム式洗濯機１と呼んでいる。
【００１３】
ドラム式洗濯機１は、外郭を成す外箱１ａを備える。この外箱１ａは、外箱上面部１０１と、外箱前面部１０３と、外箱後面部１０４と、一対の外箱側面部１０５と、底台１０６とによって構成されている。なお、図１では、一対の外箱側面部１０５のうちの一方だけを図示している。
【００１４】
外箱１ａの外箱前面部１０３は、外箱平面部１０３ａと上傾斜部１０３ｂと下平面部１０３ｃとを有する。外箱平面部１０３ａは、略垂直方向に延在する。上傾斜部１０３ｂは、外箱平面部１０３ａの上方に延在するともに、ドア５０の傾斜後面カバー５５に対応して、外箱平面部１０３ａに対して後方に傾斜している。下平面部１０３ｃは、外箱平面部１０３ａの下方に略垂直方向に延在するとともに、外箱平面部１０３ａと面一である。外箱前面部１０３には、洗濯物の出し入れに使用される外箱開口部６が設けられている。また、外箱前面部１０３の一側には、外箱開口部６を開閉するためのドア５０が、ヒンジ６５で回動可能に取り付けられている。
【００１５】
外箱１ａの外箱上面部１０１には、給水口１０と洗剤ケース１１と気流フィルタ装置３０と電源ボタン３１とが設けられている。
【００１６】
外箱上面部１０１の左側後方に設けられた給水口１０は、図示しない給水ホースを介して水道の蛇口に接続するために使用される。
【００１７】
外箱上面部１０１の左側前方に設けられた洗剤ケース１１では、例えば、洗剤、漂白剤及び柔軟剤が収容される。外箱上面部１０１の右側後方に設けられた気流フィルタ装置３０は、湿潤風に含まれる糸くずや埃などの異物を捕集する。すなわち、糸くずや埃などの異物が、気流フィルタ装置３０によって循環風路内を流れる空気から捕集される。外箱１ａの外箱上面部１０１側の内部には、ドラム式洗濯機１の動作を制御する制御装置(図示しない)が配置されている。制御装置は、例えばマイクロコンピュータであり、ドラムモータ４の回転を制御するとともに、水位センサによって検出された水槽２の水位に基づいて、給水弁１３及び排水弁２２の開閉を制御する。
【００１８】
外箱上面部１０１の右側前方に設けられた電源ボタン３１は、凸状の押圧部を有する機械式電源キーであり、少なくとも電源をＯＮにする機能を有する電源入りキーである。電源ボタン３１がＯＮになっていない状態では、表示操作部５４には文字や図形などの各種情報が表示されない。電源ボタン３１が、１つのキーで電源をＯＮ又はＯＦＦにする機能を有することもできる。後述するように表示操作部５４がタッチパネルからなるとともに、凸状の押圧部を有する電源ボタン３１（機械式電源入りキー）がドア５０側でなく外箱１ａ側に配置されることで、ドア５０の前面側を平坦化でき、ドア５０の薄肉化を図ることができる。
【００１９】
図２，図３及び図５を参照しながら、ドラム式洗濯機１の外箱１ａの構成について説明する。
【００２０】
（外箱１ａの構成）
図５に示すように、ドラム式洗濯機１は、外箱１ａ内に配置された有底筒形状の水槽２と、この水槽２内に回転可能に配置された有底筒形状の回転槽３と、水槽２の後部に取り付けられて回転槽３を回転駆動するドラムモータ４とを備える。水槽２の後部は、２本のダンパ１２(図５では１本のみ図示)によって弾性的に支持されている。回転槽３は、洗濯物を収容して水槽２よりも若干小径である。ドラム式洗濯機１では、通常、回転槽３の回転軸Ｊは、前側が後側よりも高くなるように、すなわち斜め上方を向くように、水平方向に対して傾斜して延在している。なお、回転軸Ｊは、水平方向に対して略平行に延在してもよい。なお、回転槽３は回転槽の一例であり、ドラムモータ４は駆動装置の一例である。
【００２１】
洗濯物などの衣類を収容するためのドラムとして働く回転槽３は、前側の回転槽開口部２６を水槽２の水槽開口部１６の内側を臨むように構成されている。また、回転槽開口部２６の少なくとも一部が、外箱開口部に対向するように回転槽開口部２６が配置されている。回転槽３は、ドラムモータ４の回転軸Ｊの端部に連結されて、ドラムモータ４の駆動により、水槽２の内部で回転するように構成されている。
【００２２】
回転槽３は、回転槽開口部２６の外側に周設された流体バランサ２９を備える。流体バランサ２９は、回転槽３が回転した場合に、当該回転に伴う振動を吸収して緩和する機能を有する。回転槽３の周壁には、多数の小さな貫通孔２７が全面に亘って形成されている。また、回転槽３の内面には、軸方向に延びる複数のバッフル２８が周方向に等配で突設されている。なお、簡便のため、図２では、貫通孔２７の一部及び１つのバッフル２８を図示している。
【００２３】
外箱１ａの外箱前面部１０３には、環状の装飾部材１７が配設されている。環状の装飾部材１７は、水槽２の水槽開口部１６を臨む位置に、洗濯物を出し入れするための外箱開口部６を有する。外箱開口部６は、水槽２の水槽開口部１６及び回転槽３の回転槽開口部２６を臨むように構成されている。円形の水槽開口部１６は、円形の回転槽開口部２６と同軸に形成されている。外箱開口部６の開口縁と水槽開口部１６の開口縁とは、ベローズ状の接続部材（図示しない）によって接続されており、当該構成により外箱１ａと水槽２との間が液密に封止されている。
【００２４】
給水口１０が、外箱１ａ内で給水弁１３の注入口に接続されている。これにより、水が、給水ダクト１５と洗剤ケース１１とを経由して、水槽２の上部から水槽２内に流入することが可能になっている。水槽２の内部に供給された水は、洗い用の洗濯水、又は、すすぎ用のすすぎ水として使用される。なお、給水弁１３は、複数の給水出口を有する多連形の電磁弁であり、給水装置の一例である。
【００２５】
水槽２には、最下位置となる底板近傍の周面に排水ダクト１９が接続されている。排水ダクト１９は、外箱１ａの内側における前下部に固定支持された筒形の排水フィルタ装置２０に接続されている。排水フィルタ装置２０の内部には、水槽２内の洗濯水又はすすぎ水に含まれる繊維屑等の異物を捕集する糸屑フィルタ７０が収容されている。排水フィルタ装置２０の下部は、排水弁２２を介して外箱１ａの底面に沿って配設された排水ホース２１に接続されている。排水弁２２が開放されると、水槽２内の洗濯水又はすすぎ水は、排水ダクト１９と排水フィルタ装置２０と排水ホース２１とを経て水槽２外に排出される。水槽２内の洗濯水又はすすぎ水に含まれる異物は、排水フィルタ装置２０内の糸屑フィルタ７０によって捕集され、洗濯水又はすすぎ水から除去される。また、排水弁２２を閉鎖した状態で循環ポンプ２４を駆動すると、水槽２内の液体を水槽２外に出して、排水ダクト１９および循環ダクト２５を介して水槽２内に戻すことができる。また、排水フィルタ装置２０は、糸屑フィルタ７０を収容している。
【００２６】
装飾部材１７に形成される外箱開口部６の開口縁には、ゴムや軟質樹脂等の弾性体から成るパッキン１８が配設されている。これにより、ドア５０を閉じると、ドア５０の突出閉止部５６がパッキン１８に密着して、水槽２内の液体が外部に漏れ出ることを防止できる。
【００２７】
ダンパ１２は、オイルが封入されたシリンダ部と、上端部がシリンダ部内に入ったピストンロッドとを有している。このピストンロッドの下端部は、弾性材(例えばニトリルゴム)からなるダンパブッシュを介してダンパ支持金具に取り付けられている。
【００２８】
また、ドラム式洗濯機１が乾燥機能を有する場合、洗濯物を乾燥させるためのヒートポンプユニット(図示せず)が、水槽２の下方後面側に配置される。このヒートポンプユニットは、乾燥運転には、洗濯物の水分を含んだ空気を回転する回転槽３から導入して、水分を含んだ空気の除湿及び加熱を行い、乾燥した温風を回転槽３へ導入する。
【００２９】
図１から図６及び図１０を参照しながら、ドラム式洗濯機１のドア５０の構成について説明する。
【００３０】
（ドア５０の構成）
図１に示すように、ドア５０は、ドア本体部５１と傾斜部５２とを備える。ドア本体部５１は、正面視で四角形形状をしており、略垂直方向に延在する。ドア本体部５１における四角形形状というのは、長方形や正方形の方形形状を始め、台形形状なども含み、それらのコーナー部が丸みを有する形態も含む。傾斜部５２は、ドア本体部５１の上部に位置しており、正面視で、略垂直方向に延在するドア前パネル部６９に対して後方に傾斜している。すなわち、傾斜部５２の上端部６７がドア本体部５１よりも後方に位置するように傾斜部５２は傾斜している。
【００３１】
図３に示すように、外箱１ａの外箱前面部１０３とドア５０のドア枠部６８との間に介在配置された２つのヒンジ６５によって、ドア５０が外箱１ａの外箱前面部１０３に対して回動自在に軸支されている。上下２つのヒンジ６５が外箱１ａの一側に設けられている。
【００３２】
表示操作部５４の操作性及び視認性の観点から、ドア本体部５１の表面積に対する傾斜部５２（すなわち表示操作部５４）の表面積の比率が、例えば、１／２０〜１／４である。また、表示操作部５４の操作性及び視認性の観点から、ドア本体部５１のドア前パネル部６９に対する傾斜部５２（すなわち表示操作部５４）の傾斜角度が、例えば、２０度〜４５度であり、好ましくは２５度〜３５度である。さらに、当該傾斜角度は、この実施形態を限定しない数値として、例えば約３３度である。
【００３３】
（ドア本体部５１の構成）
図１、図３及び図１１に示すように、ドア本体部５１は、平板形状のドア前パネル部６９と、ドアベース部材６４と、左右のドア枠部６８と、後方に突出する突出閉止部５６と、略平板形状の本体後面カバー６２とを有する。図１１に示すように、ドア本体部５１の前面側から後面側にかけて、ドア前パネル部６９、ドアベース部材６４、突出閉止部５６及び本体後面カバー６２は、この順序で配置されている。ドア前パネル部６９は、透光性を有する材料（例えばガラス材料）からなり、突出閉止部５６も透光性を有する材料（例えば樹脂材料）からなる。したがって、ドア５０の前面側から回転槽３内部を見ると、ドア前パネル部６９及び突出閉止部５６を通じて、回転槽３内部が視認できる。ドア前パネル部６９はドアベース部材６４の前面側に取り付けられ、本体後面カバー６２はドアベース部材６４の後面側に取り付けられる。本体後面カバー６２の側部は、ドア枠部６８の側部よりも小さく寸法構成されており、ドア枠部６８の側部よりも幅方向（左右方向）に引っ込んでいる。これにより、本体後面カバー６２の側部において段部６３が形成されている。ドア前パネル部６９は、ドアベース部材６４の前面部に貼り付けられるとともに、左右のドア枠部６８によって保持される。
【００３４】
図３及び図５に示すように、突出閉止部５６は、後方に突出した山型形状の後方頂部と、山の裾部分に対応するベース部とを有する。ドア５０を閉じたとき、突出閉止部５６の後方頂部の一部が、水槽開口部１６内に挿入されるように構成されている。本体後面カバー６２は、突出閉止部５６の山型部分の大部分を挿入するための開口を有する。突出閉止部５６の山型部分を本体後面カバー６２の開口に挿入した状態で、突出閉止部５６のベース部が、ドアベース部材６４の後面部と本体後面カバー６２の前面部との間で挟持されている。それにより、突出閉止部５６が、ドアベース部材６４及び本体後面カバー６２で保持されている。ドア５０を閉じると、ドア５０の突出閉止部５６が外箱開口部６を覆うとともに突出閉止部５６の外周面がパッキン１８に密着して、外箱開口部６が閉じられるので、水槽２内の液体が外部に漏れ出ることが防止される。
【００３５】
図５に示すように、外箱前面部１０３の下側のヒンジ６５よりも下側の一側（ヒンジ６５側）には、糸屑フィルタ７０の装填された排水フィルタ装置２０が設けられている。糸屑フィルタ７０の前面にはフィルタキャップ７１が設けられており、フィルタキャップ７１の先端側には、前方に突出して横方向に延びるフィルタキャップ把持部が形成されている。フィルタキャップ把持部の回動によって糸屑フィルタ７０を排水フィルタ装置２０に対して着脱できる。
【００３６】
図２及び図３に示すように、外箱１ａの外箱前面部１０３の一側（ヒンジ６５側）の下部において、排水フィルタ用ドア６０が、ヒンジによって外箱前面部１０３の下平面部１０３ｃに対して回動自在に軸支されている。排水フィルタ用ドア６０を閉じると、排水フィルタ用ドア６０は、外箱１ａ内に配置された排水フィルタ装置２０を覆い、例えば、下平面部１０３ｃと面一になるように構成されている。排水フィルタ用ドア６０の後面部には、誤挿入防止構造が設けられている。すなわち、凸状の誤挿入防止構造を排水フィルタ用ドア６０の後面部側に設けるとともに、凸状のフィルタキャップ把持部を有する構成とすることができる。当該構成によれば、フィルタキャップ７１の回動位置が適切であると互いの凸形状が干渉せず、排水フィルタ用ドア６０を閉じることが可能となる。逆に、フィルタキャップ７１の回動位置が不適切であると、互いの凸形状が干渉し、排水フィルタ用ドア６０を完全に閉じることができなくなることにより、糸屑フィルタ７０の挿入が不完全であることを注意喚起できる。
【００３７】
このように、排水フィルタ用ドア６０は、外箱１ａ内に配置された排水フィルタ装置２０を覆うように構成されている。さらに、排水フィルタ用ドア６０は、糸屑フィルタ７０が排水フィルタ装置２０に装填されているか否かを、そしてフィルタキャップ７１が正しい位置で閉じられているか否かを知らしめるように構成されている。
【００３８】
図２から図４に示すように、ドアベース部材６４の後面側であってヒンジ６５の反対側には、ユーザによって操作されるロック解除部５３が設けられている。ロック解除部５３は、ドア５０の厚み方向の前側にスライド移動することにより、ドア５０のロック解除を行う機能を有する。ドアベース部材６４に回動可能に支持された係合爪５７が、ロック解除部５３の動きに連動するように構成されている。被係合部６６は、環状の装飾部材１７の後面側に取り付けられた被係合部材（図示しない）に形成された係合穴である。ロック解除部５３がドア５０の厚み方向の前側にスライド移動すると、係合爪５７が非係合側に移動することにより被係合部６６に対する係合爪５７の係合が解除されて、ドア５０が開放される。
【００３９】
（傾斜部５２の構成）
図１から図３及び図６に示すように、傾斜部５２は、傾斜部５２の前面側に配設された表示操作部５４と、表示操作部５４の周縁部に取り付けられた傾斜枠部７８と、傾斜枠部７８の後面側に取り付けられる傾斜後面カバー５５とを有する。傾斜部５２は、傾斜部５２の上端部６７がドア本体部５１よりも後方に位置するように傾斜している。表示操作部５４は、ドア本体部５１のドア前パネル部６９に対して後方に傾斜して配置されている。傾斜部５２の上端部６７が、外箱１ａの外箱前面部１０３の外箱平面部１０３ａよりも後方に位置している。当該構成によれば、厚みの薄いドア５０において大きな傾斜部５２及び大きな表示操作部５４を配設できて、ドア５０がコンパクトになるとともに圧迫感が軽減される。
【００４０】
図１１に示すように、表示操作部５４は、操作カバー部７９と、表示操作枠部８１と、表示部８２と、操作基板部８３と、後面取付部８４とを備える。表示操作部５４の前面側から後面側にかけて、操作カバー部７９、表示操作枠部８１、表示部８２、操作基板部８３及び後面取付部８４は、この順序で配置されている。操作カバー部７９は、例えば、透明なガラス板や樹脂パネルなどからなり、傾斜した平面を構成する。操作カバー部７９は、表示操作枠部８１の前面側に貼付される。操作カバー部７９は、接触体が直接的に接触する部分であり、操作カバー部７９への接触によって、入力操作が行われる。
【００４１】
表示部８２は、タッチキー７７に対応する文字部分及び／又は図形部分に透光部が形成された遮光フィルムが基材上に貼付され、当該遮光フィルムの上に透明電極部が貼付されたデバイスである。表示部８２は、操作基板部８３に設置された光源（例えばＬＥＤ）によって照明される。表示部８２に設けられている透明電極部は、タッチキー７７として機能して、操作基板部８３に接続されている。透明電極部を有する表示部８２は、タッチパネルの機能を有する。表示部８２及び操作基板部８３が、図示しないパッキンを介して後面取付部８４に一体的に固定された状態で、表示操作枠部８１の後面側に固定される。そして、表示部８２は、表示操作枠部８１に形成された収納開口に収まるように構成されている。このようにして、タッチパネルとして働く表示操作部５４が構成される。当該表示操作部５４に対して、傾斜枠部７８及び傾斜後面カバー５５が取り付けられる。なお、上記遮光フィルムは、操作カバー部７９の後面側に貼付してもよい。
【００４２】
図１０に示すように、表示操作部５４は、動作状態、各種設定、ユーザへのメッセージ等の各種情報を表示する。タッチキー７７は、表示部８２上に形成されており、設定に関する情報を表示する。タッチキー７７は、操作カバー部７９を介して、ユーザの指やペン状体のような接触体の接触によって入力操作を行うためのキーである。
【００４３】
各タッチキー７７は、文字部分及び／又は図形部分（以下、文字部分などという。）と、その他の部分とを有する。各タッチキー７７では、文字部分などが透光性を有し、その他の部分が遮光性である。各タッチキー７７の後面には、図示しない光源、例えばＬＥＤ（Light Emitting Diode）が配置されている。キー表示制御部によって、光源が点灯して、対応するタッチキー７７への光の照射が制御される。タッチキー７７の後面に対して光が照射されると、文字部分などが表示され、各タッチキー７７は視認可能な表示状態となる。その結果、各タッチキー７７の文字部分などによって、設定に関する情報が表示される。
【００４４】
タッチキー７７のうち、対応する光源が点灯していないタッチキー７７については、文字部分などが視認不可の非表示状態になっている。このように、キー表示制御部によって、各タッチキー７７の表示又は非表示が切換え可能に構成されている。
【００４５】
図１０は、表示操作部５４に表示される各種情報と、各タッチキー７７との全てを表示した状態を例示している。電源ボタン３１がＯＮになっていない状態では、タッチキー７７が表示されない。
【００４６】
表示部８２は、上記デバイスの他に、液晶パネル及び有機ＥＬなどの表示デバイスを用いることができる。また、表示部８２は、カラー表示又は白黒表示とすることができる。タッチパネルの機能を有する表示部８２は、接触体によってその表面に対して接触操作が行われると、表面電荷が変化する静電容量方式のものである。なお、表示操作部５４として、例えば、抵抗膜方式、表面弾性波方式、赤外線方式又は電磁誘導方式のタッチパネルも利用可能である。
【００４７】
表示操作部５４は、外箱１ａの内部に設けられている制御装置に接続されており、表示操作部５４に対する操作情報は、制御装置へ出力される。制御装置は、表示操作部５４から出力された操作情報に基づいて運転内容を決定し、決定した運転内容に従って洗濯運転及び乾燥運転などを行う。
【００４８】
上記構成によれば、四角形のドア本体部５１が外箱開口部６を覆って閉じるドア５０によって、外箱１ａとドア５０との間に凹凸が形成されにくくなるので、清掃性が良好であるとともに、後方に傾斜した傾斜部５２の前面側に表示操作部５４を配設することによって、大きな傾斜部５２及び大きな表示操作部５４が配設できるので、表示操作部５４の操作性及び視認性が優れている。また、正面視で、ドア５０の上方において傾斜部５２が後方に引っ込んだ形態になっているので、ドラム式洗濯機１がコンパクトになるとともに圧迫感が軽減される。また、表示操作部５４がドア５０側に設けられているので、外箱前面部１０３の上方の空間を有効活用できる。
【００４９】
〔第２実施形態〕
図２に示すように、ドア５０の下端部６１が、排水フィルタ用ドア６０よりも上方に位置するように構成されている。すなわち、ドア５０は、ドア５０の開閉時に排水フィルタ用ドア６０と重ならないように、排水フィルタ用ドア６０よりも上方の位置に配置されている。
【００５０】
これにより、ドア５０を閉じた状態でも、排水フィルタ用ドア６０の開閉ができて排水フィルタ装置２０内の糸屑フィルタ７０の交換作業ができる。したがって、糸屑フィルタ７０の交換に係る作業性が向上する。また、床面上に設置された防水パンに配設されたドラム式洗濯機１において、ドア５０の下端部６１が、床面に対して或る高さ（例えば、２５ｃｍ）以上に位置するように構成されることが好ましい。当該構成によれば、ドラム式洗濯機１を防水パンに設置した状態で、ドア５０の下端部６１が、市販されている衣類収容カゴの高さよりも高くなっている。したがって、回転槽３から洗濯物を衣類収容カゴに出し入れするためにドラム式洗濯機１の前方近傍に衣類収容カゴを床面に置いた場合でも、ドア５０の下端部６１が衣類収容カゴに干渉することなくドア５０を開閉できる。
【００５１】
〔第３実施形態〕
図７から図９に示すように、表示操作部５４を有する傾斜部５２は、ドア本体部５１に対して取り外し可能に構成されている。ドア本体部５１の上端部に設けられた複数の連結部５８が、傾斜部５２の下端部に設けられた複数の被連結部５９に対して例えばネジを介して連結して固定される。すなわち、連結部５８及び被連結部５９のそれぞれが、ネジ穴及び／又は挿通穴を有して、ネジ穴及び／又は挿通穴にネジを通すことにより、ドア本体部５１と傾斜部５２とが固定される。
【００５２】
これにより、傾斜部５２をドア本体部５１に固定できるとともに、傾斜部５２をドア本体部５１から容易に取り外すことができる。当該構成によれば、表示操作部５４に何らかの不具合があったときに、大きなドア５０を取り外してドア５０を分解したあと傾斜部５２（表示操作部５４）を交換するという作業を行わなくても、傾斜部５２（表示操作部５４）をドア本体部５１から取り外すことにより傾斜部５２（表示操作部５４）の交換ができる。したがって、傾斜部５２（表示操作部５４）の交換作業が容易になる。
【００５３】
なお、被連結部５９に対する連結部５８の取り外し可能な連結方法は、上記ネジ留めに限られるものではない。ドア本体部５１と傾斜部５２との一体的な取り扱いを可能とするとともに、連結部５８と被連結部５９とを恒久的に固定せず取り外しを可能とするのであれば、どのような構成を採用してもよい。例えば、連結部５８及び被連結部５９のいずれか一方に弾性を有する係合爪を設け、連結部５８及び被連結部５９のいずれか他方に係合穴を設けて、係合爪が係合穴に係合することによって取り外し可能に連結する構成にすることもできる。
【００５４】
以上説明したように、この発明の一態様に係る衣類処理装置１は、
外箱開口部６を外箱前面部１０３に有する外箱１ａと、
前記外箱１ａ内に配置されるとともに、少なくとも一部が前記外箱開口部１０３に対向して配置される回転槽開口部２６を有する回転槽３と、
四角形のドア本体部５１と、該ドア本体部５１の上方に位置する傾斜部５２とを有して、前記ドア本体部５１が前記外箱開口部６を覆うことによって前記外箱開口部６を閉じるドア５０であって、前記傾斜部５２は、前記傾斜部５２の上端部６７が前記ドア本体部５１よりも後方に位置するように傾斜しているドア５０と、
前記傾斜部５２の前面側に配設された表示操作部５４とを備えることを特徴とする。
【００５５】
上記構成によれば、四角形のドア本体部５１が外箱開口部６を覆って閉じるドア５０によって、外箱１ａとドア５０との間に凹凸部が形成されにくくなるので、清掃性が良好であるとともに、後方に傾斜した傾斜部５２の前面側に表示操作部５４を配設することによって、大きな傾斜部５２及び大きな表示操作部５４が配設できるので、表示操作部５４の操作性及び視認性が優れている。また、ドア５０の上方において傾斜部５２が後方に引っ込んだ形態になっているので、衣類処理装置１がコンパクトになるとともに圧迫感が軽減される。また、表示操作部５４がドア５０側に設けられているので、外箱前面部１０３の上方の空間を有効活用できる。
【００５６】
一実施形態では、前記傾斜部５２が、前記ドア本体部５１に対して取り外し可能に構成されている。
【００５７】
上記構成によれば、表示操作部５４に何らかの不具合があったときに、大きなドア５０を取り外してドア５０を分解したあと表示操作部５４を交換する作業を行わなくても、表示操作部５４をドア本体部５１から取り外して交換できるので、表示操作部５４の交換作業が容易になる。
【００５８】
一実施形態では、前記ドア５０の下端部６１が、前記外箱１ａ内に配置された排水フィルタ装置２０を覆う排水フィルタ用ドア６０よりも上方に位置する。
【００５９】
上記構成によれば、ドア５０を閉じた状態で排水フィルタ装置２０内の糸屑フィルタ７０の交換作業を行うことができ、糸屑フィルタ７０の交換作業が容易になる。また、ドア５０の下端部６１が上方に位置するので、衣類処理装置１の近傍に衣類収容カゴを置いた場合でも、ドア５０の下端部６１が衣類収容カゴに干渉することなくドア５０を開閉できる。
【００６０】
一実施形態では、前記外箱前面部１０３が、前記外箱開口部の周りに形成された外箱平面部１０３ａを有し、前記傾斜部５２の前記上端部６７が、前記外箱平面部１０３ａよりも後方に位置する。
【００６１】
上記構成によれば、厚みの薄いドア５０において大きな傾斜部５２及び大きな表示操作部５４を配設できて、ドア５０がコンパクトになるとともに圧迫感が軽減される。
【００６２】
一実施形態では、前記表示操作部５４がタッチパネルを備えるとき、機械式電源入りキー３１が前記外箱１ａに配置される。
【００６３】
上記構成によれば、凸状の押圧部を有する機械式電源入りキー３１がドア５０側でなく外箱１ａ側に配置されることで、ドア５０の前面側を平坦化でき、ドア５０の薄肉化を図ることができる。
【００６４】
この実施形態を具体的に説明したが、この実施形態は、上記実施形態に限定されるものではなく、特許請求の範囲又はその均等の範囲において種々変更して実施することができる。各種構成要素は、実施形態を説明するための一例であって、それらを限定するものでは無く、必要に応じて様々な変形を行うことができる。
【００６５】
上記実施形態では、衣類処理装置１として、ドラム式洗濯機を例示したが、衣類処理装置１はドラム式乾燥機であってもよい。
【００６６】
また、表示操作部５４を有する傾斜部５２は、ドア本体部５１に対して取り外し不可の一体物として構成されていてもよい。
【００６７】
また、ドア５０の下端部６１が、排水フィルタ用ドア６０よりも下方に位置して、外箱１ａの下平面部１０３ｃと略同じ位置に位置するように構成されていてもよい。そして、排水フィルタ用ドア６０を省略して、ドア５０が排水フィルタ用ドア６０の機能を兼ねるように構成することもできる。
【００６８】
また、機械式電源入りキー３１が、ドア５０側に配置される構成とすることもできる。そして、機械式電源入りキー３１が、ドア５０に設けられた表示操作部５４に配置されていてもよい。
【００６９】
また、傾斜部５２（表示操作部５４）は、ドア本体部５１のドア前パネル部６９に対して後方に湾曲しながら傾斜した湾曲板形状とすることができ、このとき、操作カバー部７９は傾斜した湾曲面を有する。
【符号の説明】
【００７０】
１…ドラム式洗濯機（衣類処理装置）
１ａ…外箱
２…水槽
３…回転槽（ドラム）
４…ドラムモータ
６…外箱開口部
１０…給水口
１１…洗剤ケース
１６…水槽開口部
１７…環状の装飾部材
１８…パッキン
１９…排水ダクト
２０…排水フィルタ装置
２１…排水ホース
２６…回転槽開口部
３０…気流フィルタ装置
３１…電源ボタン（機械式電源入りキー）
５０…ドア
５１…ドア本体部
５２…傾斜部
５３…ロック解除部
５４…表示操作部（タッチパネル）
５５…傾斜後面カバー
５６…突出閉止部
５７…係合爪
５８…連結部
５９…被連結部
６０…排水フィルタ用ドア
６１…下端部
６２…本体後面カバー
６３…段部
６４…ドアベース部材
６５…ヒンジ
６６…被係合部
６７…上端部
６８…ドア枠部
６９…ドア前パネル部
７０…糸屑フィルタ
７１…フィルタキャップ
７７…タッチキー
７８…傾斜枠部
７９…操作カバー部
８１…表示操作枠部
８２…表示部
８３…操作基板部
８４…後面取付部
１０１…外箱上面部
１０３…外箱前面部
１０３ａ…外箱平面部
１０３ｂ…上傾斜部
１０３ｃ…下平面部
１０４…外箱後面部
１０５…外箱側面部
１０６…底台
Ｊ…回転軸
【図１】
2018135019.tif 000003
【図２】
2018135019.tif 000004
【図３】
2018135019.tif 000005
【図４】
2018135019.tif 000006
【図５】
2018135019.tif 000007
【図６】
2018135019.tif 000008
【図７】
2018135019.tif 000009
【図８】
2018135019.tif 000010
【図９】
2018135019.tif 000011
【図１０】
2018135019.tif 000012
【図１１】
2018135019.tif 000013
【国際調査報告】
2018135019.tif 000014
2018135019.tif 000015
2018135019.tif 000016
2018135019.tif 000017